(57)【要約】【課題】円筒状物品を使用したり持ち運びする際に持ち易く、転がり防止ラベルに耐久性があり、転がり防止の効用を長く持続できるようにした転がり防止ラベル及び転がり防止ラベル付き円筒状物品を提供する。【解決手段】ラベルシート１１の表面に小突起部１２が設けられている転がり防止ラベルであって、前記小突起部１２が、ドット状又は連続線状又は断続線状に設けられ、転がり易い円筒状物品１の円筒状周面に貼着されていて、安定した転がり防止のための二列に形成される小突起部１２、１２の列間隔χは、水平な台面Ｆ上に倒した円筒状物品１の円筒中心Ｏと、二列に形成される各々小突起部１２、１２とを結ぶ各々直線が、該円筒状物品１の円筒中心Ｏを通る台面Ｆに下ろした垂線Ｖに対して作る各々円周角をθ、θとすれば下記式で求められる。χ＝２πｒ×（２θ／３６０°）【選択図】図１
2004302042.tif 000002
【特許請求の範囲】
【請求項１】
ラベルシートの表面に小突起部が設けられていることを特徴とする転がり防止ラベル。
【請求項２】
前記小突起部が、ドット状又は連続線状又は断続線状に設けられていることを特徴とする請求項１記載の転がり防止ラベル。
【請求項３】
転がり易い円筒状物品の円筒状周面に請求項１又は請求項２記載の転がり防止ラベルが貼着されていることを特徴とする転がり防止ラベル付き円筒状物品。
【発明の詳細な説明】
【０００１】
【発明の属する技術分野】
本発明は、各種物品の表面に貼着されるラベルに関し、特に転がり易い円筒状物品の円筒状周面に貼着する転がり防止ラベル及びその転がり防止ラベル付き円筒状物品に関する。
【０００２】
【従来の技術】
各種商品の表面や商品が包装された包装容器の表面等には、その商品名等の銘柄や製造者、販売者など商品に関する説明を表示するためにシート状のラベルが貼着される。
【０００３】
この商品や容器が転がり易い円筒状の物品である場合には、その転がり易さを回避するためにラベル等に工夫がされている。
【０００４】
例えば、図８（ａ）に示すような円筒状のアンプル容器など円筒状物品１の円筒状周面に、図８（ｂ）に示すような物品１の円筒状周面に貼着するラベルシート２１の上部に、円筒状物品１の円筒直径より広い幅の転がり防止用ラベルシート２２を連設し、その連設境界線に沿ってラベルシート２２の両側から切込部２３を設けたラベル２０を貼着したものがある。
【０００５】
このラベル２０は、物品１の円筒状周面に沿ってラベルシート２１の全面を貼着し、転がり防止用ラベルシート２２の左右両端部を物品１の円筒状周面より外側に張り出すようにして、ラベルシート２２の左右両端部によって円筒状物品１の転がりを防止するようにしたものである。
【０００６】
【特許文献１】
特開平９−１２４０８５号
【０００７】
【発明が解決しようとする課題】
上記のような転がり防止用のラベルは、ラベルシート２２が切込部２３から破断し易く、また物品１には、転がり防止ラベルシート２２の左右両端部が両側に張り出しているため、物品１を使用したり持ち運びする際に持ち難く、またラベルシート２２の左右両端部は折れ曲がり易く耐久性に乏しいため、転がり防止の効用期間に制約があった。
【０００８】
本発明は、上記不都合を解消して、円筒状の物品を使用したり持ち運びする際に持ち易く、耐久性があり、転がり防止の効用を長く持続できるようにした転がり防止ラベル及び転がり防止ラベル付き円筒状物品を提供することにある。
【０００９】
【課題を解決するための手段】
本発明の請求項１に係る発明は、図１、図２に図示するように、ラベルシート１１の表面に小突起部１２が設けられていることを特徴とする転がり防止ラベルである。
【００１０】
本発明の請求項２に係る発明は、図１、図２に図示するように、上記請求項１に係る転がり防止ラベルにおいて、前記小突起部１２が、ドット状又は連続線状又は断続線状に設けられていることを特徴とする転がり防止ラベルである。
【００１１】
本発明の請求項３に係る発明は、図３、図４に図示するように、転がり易い円筒状物品１の円筒状周面に、上記請求項１又は請求項２に係る転がり防止ラベルが貼着されていることを特徴とする転がり防止ラベル付き円筒状物品である。
【００１２】
【発明の実施の形態】
本発明の転がり防止ラベルの発明の実施の形態を、図１（ａ）の平面図、図１（ｂ）の側面図に従って以下に詳細に説明すれば、本発明の転がり防止ラベル１０は、ラベルシート１１の片面の一部領域に、小突起部１２をドット状に設けたものであり、ラベルシート１１の他の片面には粘着剤層１３が形成されているものである。なお、ラベルシート１１裏面の粘着剤層１３面にはセパレータ１５（剥離シート）が易剥離可能に貼着されている。
【００１３】
小突起部１２は、ラベル１０が貼着される転がり易い円筒状の物品の母線方向に沿って、一列又は二列乃至複数列のドット状パターンとしてラベルシート１１に設けるものであり、ラベルシート１１の片面の前記一部領域とは、図１（ｂ）に示すように転がり易い円筒状の物品の円筒状周面に沿って、貼着されるラベル１０の円周状周面の母線方向に沿った１つの領域、又は母線方向に沿ってある間隔を置いた２つ乃至複数の領域のことである。
【００１４】
前記小突起部１２の形成パターンとしては、図１（ａ）〜（ｂ）に示すように母線方向に二列の接近するドット状パターンでもよいし、あるいは図２（ａ）に示すように母線方向に所定間隔χを置いた二列のドット状パターンでもよいし、図２（ｂ）に示すように母線方向に所定間隔χを置いた二列の直線状パターンでもよいし、ウエーブラインパターンでもよい。なお本発明においては、特にその小突起部１２の形成パターンを限定するものではない。
【００１５】
前記小突起部１２の形成方法としては、発泡性インキ（化学発泡、加熱発泡）あるいはエンボソインキ（加熱膨張）等の発泡、膨張性のインキを用いた印刷方式、また凹版印刷方式やスクリーン印刷方式やステンシル印刷方式による厚膜印刷方式、あるいはエンボス金型を用いたエンボス加工方式などが採用できる。
【００１６】
本発明の転がり防止ラベル付き円筒状物品は、図３に示すようにバイアル瓶など円筒状容器としての円筒状物品１の円筒状周面に、上記の転がり防止ラベル１０を貼着したものであり、また図４に示すようにアンプルなど円筒状容器としての円筒状物品１の円筒状周面に、上記の転がり防止ラベル１０を貼着したものであり、円筒状物品１の円筒状周面の一部領域における母線方向に沿って小突起部１２が形成されていて、円筒状物品１が倒れた際には、小突起部１２が物品１の転がりを防止するものである。
【００１７】
本発明の転がり防止ラベル１０における円筒状物品１の母線方向に沿って二列に形成される小突起部１２の設定間隔は、図５に示すように、円筒状物品１を倒して台面Ｆに載置した際に、少なくとも円筒状物品１の周面と台面Ｆとの接触部及び二列の小突起部１２、１２と台面Ｆとの接触部の三個所の接触部によって同時に保持されるか、又は円筒状物品１の周面と台面Ｆとは接触せず二列の小突起部１２、１２と台面Ｆとの二個所の接触部によってのみ保持されることが、安定した転がり防止にとっては望ましいものである。
【００１８】
転がり防止の効果を上げるには、前記の条件を満足する範囲で、二列の小突起部１２、１２の列間隔を大きくすることが望まれ、即ち、小突起部１２の高さを高くすることが効果的であり、アンプルなどの円筒状物品１の円筒直径の大きさにも因るが、小突起部１２の高さは２００μｍ〜４００μｍ程度が適当である。
【００１９】
ここで水平な台面Ｆ上に倒した円筒状物品１の円筒中心Ｏと、二列に形成される各々小突起部１２、１２とを結ぶ各々直線Ｌ、Ｌが該円筒状物品１の円筒中心Ｏを通る台面Ｆに下ろした垂線Ｖに対して作る各々円周角をθ、θ、円筒状物品１の円筒半径をｒ、小突起部１２、１２の円筒状物品周面上での列間隔（周長）をχ、各々小突起部１２、１２の高さをｈ、各々直線Ｌ、Ｌと台面Ｆとで作る二等辺三角形の底辺長さをＹ（各々小突起部１２、１２の列間隔に近似）とすれば下記の関係式が得られる。
【００２０】
ｃｏｓθ≒ｒ／（ｒ＋ｈ）          ・・・・・（１）
ｓｉｎθ≒（１／２）Ｙ／（ｒ＋ｈ）・・・・・（２）
Ｙ≒χ                            ・・・・・（３）
χ＝２πｒ×（２θ／３６０°）    ・・・・・（４）
上記式（１）よりθを求め、式（２）よりＹの値を求めることができる。
そして安定した転がり防止のための二列に形成される円筒状物品１の周面上での小突起部１２、１２の適正な列間隔χは、
０＜χ≦Ｙ
となる。
【００２１】
例えば、円筒状物品１（アンプル）の円筒直径が（ラベルシート１１の厚さを含めて）２０ｍｍφ、小突起部１２の高さを０．５ｍｍとした場合、小突起部１２、１２の列間隔の近似値Ｙは、式（１）より、
ｃｏｓθ≒１０／（１０＋０．５）＝０．９５２３８
θ≒１７．８°
また、式（２）より、
ｓｉｎ１７．８°≒（１／２）Ｙ／１０．５≒０．３０５７
Ｙ≒６．４２（ｍｍ）
となる。したがって、小突起部１２、１２の適正な列間隔Ｘは、
０＜χ≦６．４２（ｍｍ）
となり、６．４２ｍｍよりも小さく、且つできるかぎり６．４２ｍｍに近似する間隔が適当である。
【００２２】
本発明においては、円筒状物品１周面の一領域に形成される上記小突起部１２の形成パターンは、図１、図２、図５に示すような所定の列間隔χ（０＜χ≦Ｙ）を置いた二列パターンに限定されず、円筒状物品１周面の一領域に一列パターンとして形成してもよいし、円筒状物品１周面に二列乃至複数列に、互いの列間隔χをχ＞Ｙとして広く設定してパターン形成してもよい。
【００２３】
本発明の転がり防止ラベルの他の実施の形態としては、図１（ａ）〜（ｂ）に示すように、ラベルシート１１の端部など一部領域に１乃至複数本の切取線１６（ミシン目、ハーフカット線）を刻切して、切離可能な１乃至複数の補助ラベル１７を設けてもよい。そして補助ラベル１７表面には、円筒状物品１内に充填包装されている物品名（薬品名等）が表示されている。
【００２４】
そして、補助ラベル１７を設けた転がり防止ラベルを、バイアル瓶やアンプルなど円筒状物品１の周面に貼着してラベルとして使用する。例えば、その円筒状物品１内に充填包装されている薬品を注射筒に移した後に、その薬品名が表示されている一部の補助ラベル１７を切取線１６を介して切り取るとともに円筒状物品１周面より剥離して、その補助ラベル１７をその注射筒に貼り付けたり、あるいはカルテ等に貼り付けたりして、薬品の誤用防止ラベルとして使用することが可能である。
【００２５】
この補助ラベル１７付きの転がり防止ラベルは、ラベルシート１１に使用されるラベル基材として、ポリエチレンテレフタレートフィルム（例えば厚さ３８μｍ）の薄いフィルムを使用すれば、ラベルを円筒状物品１の周面に貼着した時にラベルシート１１の剛度（腰、ベンド）によるラベル端部の浮きの発生を防止でき、また粘着剤層１３には強粘着剥離性の粘着剤（凝集力のある粘着剤）を使用することによって、転がり防止ラベル全体の粘着力を高めるとともに、補助ラベル１７を円筒状物品１の周面から剥離した際に、周面に粘着剤残りが発生せず、また再度、別の被着体に十分な粘着力を保持した状態で貼り付けることが可能になる。
【００２６】
次に、本発明の転がり防止ラベルの製造工程の一例を、図６に示す製造工程を説明する装置の概要側面図に基づいて以下に説明する。
【００２７】
まず、巻出部３０から、ラベル基材シート層３２、粘着剤層３３、剥離シート層３４（セパレータ）をこの順に積層した積層シートからなる長巻状のタックシート３１を巻き出して、各々ガイドロール３５ａ〜３５ｊにて該タックシート３１をガイドしながら、ラベル情報印字手段４０（凸版印刷方式による圧胴４１と凸版胴４２との間、オフセット印刷方式による圧胴４１とブランケット胴４２との間、グラビア印刷方式による圧胴４１とグラビア版胴４２との間、あるいは静電印刷方式による可変データ印字機、レーザープリンターなど適宜印刷方式による印圧間）にタックシート３１を導入する。
【００２８】
そして上記印字手段４０により、紫外線硬化型印刷インキ（ＵＶ照射乾燥型）又は通常の印刷インキ（酸化乾燥型、溶剤揮散乾燥型）を用いて、タックシート３１の最上層のラベル基材シート層３２の表面に、必要とするラベル表示情報（文字印刷層、絵柄印刷層など）を印字形成し、続いて紫外線（ＵＶ）照射手段４５にてラベル基材シート層３２の表面の文字印刷層、絵柄印刷層などラベル表示情報を硬化、乾燥させる。
【００２９】
次に、厚膜印刷が可能な印刷装置による小突起部形成手段５０（ロータリースクリーン印刷方式による圧胴５１とスクリーン版胴５２との間、凹版印刷方式による圧胴５１と凹版胴５２との間の印圧間）に、ラベル表示情報が印字形成された上記タックシート３１を導入して、紫外線硬化型印刷インキ（ＵＶ照射乾燥型）又は通常の印刷インキ（酸化乾燥型、溶剤揮散乾燥型）を用いて、タックシート３１の最上層のラベル基材シート層３２の表面に適宜パターンの小突起部１２を印刷形成し、続いて紫外線（ＵＶ）照射手段５５にてラベル基材シート層３２の小突起部１２を硬化、乾燥させる。
【００３０】
本発明における上記小突起部形成手段５０としては、タックシート３１の最上層のラベル基材シート層３２の表面に凸状の小突起部１２を形成可能な手段であれば、特に手段を限定するものではなく、例えば、エンボス加工装置による小突起部形成手段５０（ロータリーエンボス方式によるエンボス圧胴５１（エンボス雄型胴）とエンボス金型胴５２（エンボス雌型胴）との間のエンボス圧間）に上記タックシート３１を導入して、ラベル基材シート層３２の表面に凸状の小突起部１２をエンボス形成してもよい。
【００３１】
続いて、小突起部１２が形成されたタックシート３１を打抜手段６０（対向するプレスロール６１と打抜型刃ロール６２）に導入して、ラベル基材シート層３２側からラベル基材シート層３２と粘着剤層３３とを、剥離シート層３４の上面まで所定のラベル形状に打ち抜く。
【００３２】
続いて、打ち抜き加工されて送行するタックシート３１を剥離用ロール手段７０の対向するニップロール７１、７２）に導入し、剥離用ロール手段７０の一方のニップロール７２をガイドロールとして、タックシート３１の打ち抜き形成されたラベル基材シート層３２と粘着剤層３３の打ち抜き形状外側の打ち抜き余白シート３２ａ、３３ａを送行方向を変換させて余白シート巻取手段７３により巻き取るとともに、打ち抜き形状内側のラベル基材シート層３２と粘着剤層３３からなるラベルを剥離シート層３４とともにラベル巻取手段８０により巻き取ることにより、図７（ａ）の平面図、図７（ｂ）の側面図に示すように、小突起部１２とラベル表示情報１４が表面に形成されたラベル基材シート層３２と、その裏面に形成された粘着剤層３３とからなる転がり防止ラベル１０が、連続する長尺状の剥離シート層３４面に剥離可能に多数配列されて得られるものである。
【００３３】
【発明の効果】
本発明の転がり防止ラベル及び転がり防止ラベル付き円筒状物品は、従来の転がり防止ラベルのようにラベル基材シートの左右両端部が両側に張り出している形式のラベルとは異なり、物品を使用したり持ち運びしたり、他の包装容器に収納したりする際に、ラベルの左右両端部の張り出しシートが邪魔をして持ち難くかったり収納し難いということがなく、持ち運びし易く、纏まり良く収納でき、また転がり防止機能における耐久性もあり、転がり防止の効用を長く持続できる等の効果がある。
【図面の簡単な説明】
【図１】（ａ）は本発明の転がり防止ラベルの平面図、（ｂ）はその側面図。
【図２】（ａ）〜（ｂ）は本発明の転がり防止ラベルの小突起部の各種パータンを説明する平面図。
【図３】本発明の転がり防止ラベル付き円筒状物品の正面図。
【図４】本発明の転がり防止ラベル付き円筒状物品の正面図。
【図５】本発明の円筒状物品の円筒状周面に貼着された転がり防止ラベルの小突起部の適正な列間隔を説明する部分模式図。
【図６】本発明の転がり防止ラベルの製造方法を説明する製造装置の概要側面図。
【図７】（ａ）は本発明の転がり防止ラベルの多面付け状態の平面図、（ｂ）はその側面図。
【図８】（ａ）は従来の転がり防止ラベル及び従来の転がり防止ラベル付き円筒状物品の正面図、（ｂ）は従来の転がり防止ラベルの平面図。
【符号の説明】
１…円筒状物品
１０…転がり防止ラベル  １１…ラベルシート  １２…小突起部
１３…粘着剤層  １４…ラベル表示情報
３２…ラベル基材シート層  ３３…粘着剤層  ３４…剥離シート層
【図１】
2004302042.tif 000003
【図２】
2004302042.tif 000004
【図３】
2004302042.tif 000005
【図４】
2004302042.tif 000006
【図５】
2004302042.tif 000007
【図６】
2004302042.tif 000008
【図７】
2004302042.tif 000009
【図８】
2004302042.tif 000010